(57)【特許請求の範囲】
【請求項１】
第１ケース部材と第２ケース部材とを備えて構成され、両ケース部材を閉じた状態で内部に制御基板を収納するための基板ボックスを備えた遊技機において、
前記基板ボックスは、前記第１ケース部材と前記第２ケース部材とを閉じた状態で封止する封止機構を備え、該封止機構を破壊しない限り当該基板ボックスの封止を解除不能とし、
前記封止機構は、
前記第１ケース部材と前記第２ケース部材とを閉じた状態で固着して封止するための主封止機構と、
該主封止機構の破壊後に前記第１ケース部材と前記第２ケース部材とを閉じた状態で再固着して再封止するための副封止機構と、を備え、
前記主封止機構は、
第１主ブラケットを介して第１ケース部材に接続される第１主封止部と、
第２主ブラケットを介して第２ケース部材に接続される第２主封止部と、を備え、
前記第１主封止部と前記第２主封止部とを固着することで前記基板ボックスが封止される一方、前記第１主ブラケットを切断することで前記基板ボックスの封止が解除されるよう構成し、
前記副封止機構は、
第１副ブラケットを介して第１ケース部材に接続される第１副封止部と、
第２副ブラケットを介して第２ケース部材に接続される第２副封止部と、を備え、
前記第１副封止部と前記第２副封止部とを固着することで前記基板ボックスが封止されるよう構成し、
前記第１副ブラケットの断面積を前記第１主ブラケットの断面積よりも広く設定することで、前記副封止機構を前記主封止機構よりも破壊し難い構成にしたことを特徴とする遊技機。
【発明の詳細な説明】
【技術分野】
【０００１】
本発明は、内部に制御基板を収納するための基板ボックスを備えたパチンコ遊技機等の遊技機に関する。
【背景技術】
【０００２】
従来の遊技機、例えば、パチンコ遊技機やスロットマシンに搭載された制御装置（主制御装置、従属制御装置）は、各種の電子部品が実装された制御基板を基板ボックスへ収納して構成されている。基板ボックスは、第１ケース部材と第２ケース部材とから構成され、第１ケース部材と第２ケース部材を重ねると制御基板が収納可能な空間部を形成する。そして、第１ケース部材または第２ケース部材のいずれか一方には、制御基板上のコネクタ部を外部に露出できる開口部を開設し、制御基板をコネクタ部のみが外部に露出した状態で基板ボックス内へ収納するように構成されている。
【０００３】
また、制御基板（例えば主制御装置内の遊技制御基板）には、所定の遊技制御プログラム）が記憶された記憶手段（具体的にはメモリー）を搭載している。そして、制御基板に対する不正行為として、制御装置自体と不正装置とが不正に交換されたり、基板ボックスを開放して正規な記憶手段を外し、代わりに不正な遊技制御プログラムが記憶された不正記憶手段を取り付けられたりしてしまうことがある。これらのような不正行為に対処すべく、基板ボックスに、固有ＩＤ等の識別情報が記憶されるＩＣタグ（ＲＦＩＣタグ）等を備えた封印シールを第１ケース部材と第２ケース部材とに跨って貼り付け、遊技場の店員が読取装置によりＩＣタグの識別情報を読み取って簡易チェックを行えたり、基板ボックスの開放によりＩＣタグが破壊されるようにしたりする旨が提案されている。また、制御基板に通信端子を設け、該通信端子を第３者機関が所有する検査装置へ接続して制御基板の検査（具体的には制御基板上の遊技制御マイコンの検査）を行えるようにする旨が提案されている。さらに、基板ボックスの開放を防止するために、破壊（例えば、ニッパー等の工具により切断）しなければ第１ケース部材と第２ケース部材とを分離できないように封止する封止機構（所謂かしめ機構）を複数設ける旨が提案されている（例えば、特許文献１）。
【先行技術文献】
【特許文献】
【０００４】
【特許文献１】特開２００８−１１３７１０号公報
【発明の概要】
【発明が解決しようとする課題】
【０００５】
ところで、制御装置に対して不正行為が行われた可能性がある場合には、所轄の警察もしくは遊技場側の正規な作業により封止機構を破壊して基板ボックスを開放し、目視等により制御基板に不正部品が搭載されていないか否か等のチェックが行われることがある。このとき、制御装置に異常が認められなかった場合には、破壊された封止機構とは別の封止機構によって基板ボックスを再封止し、当該制御装置の仮使用を認めるといった運用方法が採用されている。
【０００６】
しかしながら、上記特許文献に記載された従来の基板ボックスでは、複数の封止機構を同じ構成としているため、仮使用期間中における制御装置（制御基板）に対するセキュリティが弱くなってしまうという問題がある。
【０００７】
本発明は、上記の事情に鑑みてなされたものであり、その目的は、制御基板に対するセキュリティが不必要に弱くなる不都合を抑制することができる遊技機を提供しようとするものである。
【課題を解決するための手段】
【０００８】
本発明は、上記目的を達成するために提案されたものであり、請求項１に記載のものは、第１ケース部材と第２ケース部材とを備えて構成され、両ケース部材を閉じた状態で内部に制御基板を収納するための基板ボックスを備えた遊技機において、
前記基板ボックスは、前記第１ケース部材と前記第２ケース部材とを閉じた状態で封止する封止機構を備え、該封止機構を破壊しない限り当該基板ボックスの封止を解除不能とし、
前記封止機構は、
前記第１ケース部材と前記第２ケース部材とを閉じた状態で固着して封止するための主封止機構と、
該主封止機構の破壊後に前記第１ケース部材と前記第２ケース部材とを閉じた状態で再固着して再封止するための副封止機構と、を備え、
前記主封止機構は、
第１主ブラケットを介して第１ケース部材に接続される第１主封止部と、
第２主ブラケットを介して第２ケース部材に接続される第２主封止部と、を備え、
前記第１主封止部と前記第２主封止部とを固着することで前記基板ボックスが封止される一方、前記第１主ブラケットを切断することで前記基板ボックスの封止が解除されるよう構成し、
前記副封止機構は、
第１副ブラケットを介して第１ケース部材に接続される第１副封止部と、
第２副ブラケットを介して第２ケース部材に接続される第２副封止部と、を備え、
前記第１副封止部と前記第２副封止部とを固着することで前記基板ボックスが封止されるよう構成し、
前記第１副ブラケットの断面積を前記第１主ブラケットの断面積よりも広く設定することで、前記副封止機構を前記主封止機構よりも破壊し難い構成にしたことを特徴とする遊技機である。
【発明の効果】
【０００９】
本発明によれば、主封止機構の破壊後において制御装置（制御基板）に対するセキュリティが不必要に弱くなる不都合を抑制することができる。
【図面の簡単な説明】
【００１０】
【図１】前面側を開放した状態のパチンコ遊技機の斜視図である。
【図２】パチンコ遊技機の背面図である。
【図３】（ａ）は保護カバーおよび電子タグシールを外した遊技制御装置を後方から見た斜視図、（ｂ）は遊技制御装置を後方から見た分解斜視図である。
【図４】第１ケース部材を後方から見た斜視図である。
【図５】第２ケース部材を後方から見た斜視図である。
【図６】（ａ）は嵌脱部に係合爪を通した状態の遊技制御装置の説明図、（ｂ）は（ａ）のＸ−Ｘ断面図である。
【図７】電子タグシールの説明図であり、（ａ）はベースシート側から見た図、（ｂ）は粘着層側から見た図、（ｃ）は分解斜視図である。
【図８】貼着部の説明図であり、（ａ）は電子タグシールを貼着した状態の説明図、（ｂ）は電子タグシールを貼着した状態で基板ボックスを開放した後の第１貼着部の説明図である。
【図９】左側主封止受部および左側副封止受部の説明図であり、（ａ）は背面図、（ｂ）は第１ケース部材の後方から見た斜視図である。
【図１０】左側主封止体および左側副封止体の説明図であり、（ａ）は背面図、（ｂ）は第２ケース部材の前方から見た斜視図である。
【図１１】右側主封止受部および右側副封止受部の説明図であり、（ａ）は背面図、（ｂ）は第１ケース部材の後方から見た斜視図である。
【図１２】右側主封止体および右側副封止体の説明図であり、（ａ）は背面図、（ｂ）は第２ケース部材の前方から見た斜視図である。
【図１３】第２実施形態における装着ベースと遊技制御装置との係合箇所を示す説明図であり、（ａ）は係合空間部に装着係合部を係合する前の状態図、（ｂ）は係合空間部に装着係合部を係合した状態図である。
【図１４】第３実施形態における左側副封止機構の説明図であり、（ａ）は左側副封止受部の背面図、（ｂ）は左側副封止受部を第１ケース部材の後方から見た斜視図、（ｃ）は左側副封止体の背面図、（ｄ）は左側副封止体を第２ケース部材の前方から見た斜視図である。
【図１５】第３実施形態における右側副封止機構の説明図であり、（ａ）は右側副封止受部の背面図、（ｂ）は右側副封止受部を第１ケース部材の後方から見た斜視図、（ｃ）は右側副封止体の背面図、（ｄ）は右側副封止体を第２ケース部材の前方から見た斜視図である。
【発明を実施するための形態】
【００１１】
以下、代表的な遊技機であるパチンコ遊技機を例に挙げて本発明の実施の形態を図面に基づき説明する。
パチンコ遊技機１は、機枠（外枠）２の前面に、大きな矩形状開口を有する略額縁状の前面枠（内枠）３を開閉可能に軸着し、この前面枠３のベースとなる前面枠本体４に矩形状の遊技盤５を前方から収納可能とし、遊技盤５の表面には遊技領域６を区画形成している。また、前面枠３の前側には、一側（図１中、左側）が軸着された透明部材保持枠８を開閉可能に設け、該透明部材保持枠８に透視可能な透明部材９を保持し、透明部材９を通して遊技領域６をパチンコ遊技機１の前方から透視できるように構成している。さらに、透明部材保持枠８の下方には、一側（図１中、左側）が前面枠３に軸着された上皿ユニット１１を開閉（回動）可能に設け、該上皿ユニット１１の下方には、下皿ユニット１２を上皿ユニット１１に対して左右方向にずれた位置に配置している。そして、下皿ユニット１２の側部（図１中、右側部）には、発射装置（図示せず）を操作するための発射操作ユニット（発射操作ハンドル）１４を備えている。
【００１２】
また、図２に示すように、前面枠本体４の裏面側には裏機構盤１８を形成し、該裏機構盤１８に略矩形状の開口窓部１９を開設し、前面枠本体４に遊技盤５を前方から交換可能な状態で取り付けるとともに、遊技盤５の後部（裏面側部）を開口窓部１９から後方へ臨ませている。さらに、裏機構盤１８には一連の裏機構部品を設けている。具体的に説明すると、裏機構盤１８の上部には球排出機構２０を取り付け、下部には従属制御装置の一種である排出制御装置２１、電源装置２２、中継基板２３等をそれぞれ取り付けている。球排出機構２０は、上流側から順に、球導出シュートを下部に備えた球タンク２４、球タンク２４の球導出シュートから遊技球を案内する案内流路２５、案内流路２５の下端に接続された球排出装置２６、球排出装置２６から流下した遊技球を上皿ユニット１１へ送る球流下路２７等を並べて構成されており、排出制御装置２１からの制御信号に基づいて遊技球の排出を実行するように構成されている。
【００１３】
そして、遊技盤５の裏面のうち、裏機構盤１８の開口窓部１９から臨む部分に、略矩形状の大きな遊技盤カバー２８を備えた裏側ベース２９と横長な装着ベース３０とを上下に並べた状態で配置し、上側の裏側ベース２９の内部には、従属制御装置の一種である演出制御装置（図示せず）を装着し、下側の装着ベース３０の裏面側には、主制御装置である遊技制御装置３２を着脱可能な状態で装着している。
【００１４】
次に、遊技制御装置３２について説明する。
遊技制御装置３２は、図３（ａ）に示すように、遊技盤５の左右方向に沿って延在する薄い箱状のユニットであり、透光性を有して内部を透視可能な樹脂製（例えば無色透明な樹脂製）の基板ボックス３４と、該基板ボックス３４内に収容された矩形状の制御基板３５と、当該遊技制御装置３２を識別するための電子タグシール３６と、該電子タグシール３６を保護する保護カバー３７とを備えて構成されており、制御基板３５にはＣＰＵ等からなる遊技制御実行用の電子部品３５ａや配線接続用の配線コネクタ３５ｂを実装している（図３（ｂ）参照）。
【００１５】
基板ボックス３４は、装着ベース３０に装着された状態で当該基板ボックス３４の表側（遊技盤５の前寄り）に配置される第１ケース部材（ベース部材）４１と、当該基板ボックス３４の裏側（遊技盤５の後寄り）に配置されて第１ケース部材４１に重合する第２ケース部材（蓋部材）４２とから構成されており、両ケース部材４１，４２を重合して閉じた状態（重合状態または閉状態）で当該基板ボックス３４の内部に制御基板３５を収納可能としている。さらに、図３（ａ）に示すように、基板ボックス３４の上下両縁部には、第１ケース部材４１と第２ケース部材４２とを閉状態で係合する係合機構４４を備え、基板ボックス３４の左右両側部、言い換えると基板ボックス３４の長手方向の両端部には、第１ケース部材４１と第２ケース部材４２とを閉状態で封止し、且つ破壊しない限り基板ボックス３４の封止を解除不能とする封止機構４５を、第１ケース部材４１と第２ケース部材４２との境界に跨る状態で設けている。なお、封止機構４５については、後で詳細に説明する。
【００１６】
そして、基板ボックス３４の裏面側の下部の中央部分、言い換えると基板ボックス３４の長手方向の一端と他端との間に位置する箇所には、電子タグシール３６を貼着するための貼着部４６を電子タグシール３６よりも僅かに広く設定された状態で備え、該貼着部４６には、電子タグシール３６を基板ボックス３４の裏面側から被覆して保護する保護カバー３７をビス等のカバー止着具３７ａにより止着している。また、第２ケース部材４２には、配線コネクタ３５ｂを露出させるためのコネクタ開口４７を開設し、第１ケース部材４１の下部には、横長な突出部４８を第２ケース部材４２側へ向けて突出している。
【００１７】
係合機構４４は、第１ケース部材４１の上下両端部に設けられた係合溝部５０（図４参照）と、第２ケース部材４２の上下両端部から延設された係合片５１（図５参照）とから構成されており、係合溝部５０を基板ボックス３４の横向き延在方向（言い換えると遊技盤５の左右方向）に沿って延在するとともに、基板ボックス３４の中央側へ向けて開放して、係合片５１を係合溝部５０の延在方向に沿って摺動可能としている。また、図４に示すように、係合溝部５０の裏側を区画する裏側壁部の側部（図４中、右側部）を後方の第２ケース部材４２側へ向けて開放して嵌脱部５２を形成し、該嵌脱部５２を介して係合片５１を係合溝部５０へ嵌脱できるように構成されている。
【００１８】
このような構成の係合機構４４を備えた第１ケース部材４１と第２ケース部材４２とを取り付けるには、まず、第２ケース部材４２を重合方向（図３（ｂ）中、矢印Ａで示す方向）へ移動して第１ケース部材４１へ裏側から近づけ、嵌脱部５２に係合片５１を通して第１ケース部材４１と第２ケース部材４２とを重合する（図６（ａ）参照）。さらに、第２ケース部材４２を第１ケース部材４１の一側寄り（図６（ａ）中、左寄り）へ向かう係合方向（図６（ａ）中、矢印Ｂで示す方向）へスライドして係合片５１を係合溝部５０の一側部（図６（ａ）中、左側部）へ摺動する。すると、係合片５１が基板ボックス３４の裏方向へ移動することを係合溝部５０の裏側壁部により規制され、第１ケース部材４１と第２ケース部材４２とを取り付けて閉じた状態（係合状態）にすることができる。一方、第１ケース部材４１から第２ケース部材４２を外す（分離する）には、第２ケース部材４２を第１ケース部材４１の他側寄り（図６（ａ）中、右寄り）へ向かう係合解除方向（図６（ａ）中、矢印Ｃで示す方向）へスライドして係合片５１を嵌脱部５２へ臨ませ（図６（ａ）参照）、この状態で第２ケース部材４２を基板ボックス３４の裏方向へ向かう離間方向（図３（ｂ）中、矢印Ｄで示す方向）へ移動して第１ケース部材４１から離間する。したがって、第２ケース部材４２は、基板ボックス３４の重合方向Ａへ移動した後に係合方向Ｂへスライドして第１ケース部材４１へ係合される。一方、第１ケース部材４１への係合状態から係合解除方向Ｃへスライドした後に離間方向Ｄへ移動すれば、第１ケース部材４１から離間する。
【００１９】
貼着部４６は、図３〜図５に示すように、第１ケース部材４１に形成された第１貼着部５７と、第２ケース部材４２に形成された第２貼着部５９とからなり、電子タグシール３６を第１ケース部材４１と第２ケース部材４２とに跨って貼着可能としている。さらに、第１貼着部５７と第２貼着部５９とを、第１ケース部材４１と第２ケース部材４２とを取付・分離するための移動方向（重合方向Ａ、係合方向Ｂ、係合解除方向Ｃ、離間方向Ｄ）に沿って移動して当該貼着部４６を形成したり分割したりできるように構成されている。詳しくは、第１ケース部材４１の突出部４８の先端（突出端）および下面部に第１貼着部５７を設け、第２ケース部材４２の裏面側（言い換えるとパチンコ遊技機１の後方に露出する側）の下部には、第２貼着部５９を起立矩形状で形成し、該第２貼着部５９の下端と第１貼着部５７の上端とを接続して、貼着部４６の下部が基板ボックス３４の表側（言い換えると装着ベース３０に対向する側）へ向けて屈曲した状態となるように構成されている。なお、第２貼着部５９の上方には、保護カバー３７の上部に設けられたカバー取付部３７ｂを嵌合可能なカバー取付受部６１を設け（図３（ａ）参照）、第１貼着部５７の下部の前縁部（遊技盤５の前寄りに位置する縁部）には、保護カバー３７の下部に設けられたカバー係合片３７ｃを係合可能なカバー係合受部６２を設けている（図３（ａ）および図８（ａ）参照）。
【００２０】
そして、基板ボックス３４は、貼着部４６および該貼着部４６が重合する箇所に、第１ケース部材４１と第２ケース部材４２とを係止する機構を備えている。具体的に説明すると、第２ケース部材４２を本発明における止着受側ケース部材とし、図５に示すように、第２ケース部材４２の下部のうち第２貼着部５９の下方に位置する箇所、言い換えると突出部４８が当接し得る箇所には止着受部６４を設け、該止着受部６４には螺合孔（めねじ孔）６４ａを基板ボックス３４の前後方向（重合方向Ａまたは離間方向Ｄ）に沿って開設している。さらに、第１ケース部材４１を本発明における挿通側ケース部材とするとともに、第１貼着部５７を本発明における挿通側貼着部とし、図４に示すように、第１貼着部（挿通側貼着部）５７のうち起立姿勢で形成された上部（第２貼着部５９へ接続され得る箇所）には挿通孔６５を基板ボックス３４の前後方向（重合方向Ａまたは離間方向Ｄ）に沿って開設し、第１ケース部材４１と第２ケース部材４２とを閉じた状態（係合状態）で挿通孔６５と螺合孔６４ａとを連通可能としている。さらに、連通状態の挿通孔６５および螺合孔６４ａにビス等の止着部材６６（図８（ａ）参照）を通し、止着部材６６を止着受部６４へ止着（螺合）するとともに、止着状態の止着部材６６を挿通孔６５へ挿通して、第１ケース部材４１と第２ケース部材４２とを係止できるように構成されている。そして、第１貼着部（挿通側貼着部）５７の上部のうち挿通孔６５から係合解除方向Ｃへずれた位置（図４中、右側へずれた位置）には、止着受部６４が重合方向Ａまたは離間方向Ｄへ移動して通過可能な通過開口６８を開設し、該通過開口６８および挿通孔６５から重合方向Ａへずれた位置には、通過開口６８および挿通孔６５に連通する移動空間部６９を係合方向Ｂまたは係合解除方向Ｃに沿って延在する状態で設け、止着受部６４が移動空間部６９内を係合方向Ｂまたは係合解除方向Ｃへ移動できるように構成されている。
【００２１】
次に、電子タグシール３６について説明する。
電子タグシール３６は、図７に示すように、矩形状のベースシート７１と、該ベースシート７１の裏面側に貼着された長尺な電子タグ７２とを備えて構成されている。また、該電子タグ７２には、遊技制御装置３２に関する固有の識別情報（例えば、識別ＩＤ）が予め記憶されたチップ部（ＩＣチップ）７３と、識別情報を発信可能なアンテナ部７４とを備え（図７（ｂ），（ｃ）参照）、アンテナ部７４から発信された識別情報を外部読取装置（図示せず）により読み取って、遊技制御装置３２が正規品であるか否かを確認可能としている。また、図７（ｂ）に示すように、矩形状のベースシート７１の裏面側の対角線に沿って長尺なアンテナ部７４を直線状に配置し、該アンテナ部７４の中央部分にチップ部７３を配置し、電子タグシール３６を貼着部４６へ貼着すると、チップ部７３が第１貼着部５７上に位置し、且つチップ部７３の一側方に位置するアンテナ部７４が第１貼着部５７と第２貼着部５９との境界ＢＬに交差するように設定されている（図８（ａ）参照）。言い換えると、電子タグ７２が第１ケース部材４１と第２ケース部材４２との境界に交差して跨るように設定されている。
【００２２】
そして、図７（ａ）に示すように、電子タグシール３６の表面（ベースシート７１の表面）、詳しくは、貼着部４６へ貼着した状態で遊技盤５の裏面側に位置する面には「開封禁止」の文字を印刷し、電子タグ７２（チップ部７３およびアンテナ部７４）を含む電子タグシール３６の裏面全体、詳しくは、貼着部４６に対向する面の全体には粘着層７５を設け、該粘着層７５を介して電子タグシール３６を貼着部４６へ貼着可能としている。なお、アンテナ部７４は、ベースシート７１の対角線上に一直線に配置することが望ましいが、ベースシート７１の対角線に平行な状態、あるいは多少傾斜した状態で配置してもよい。また、ベースシート７１は、シール剥がし等の溶剤が付着したり、あるいは粘着層７５の粘度が十分に低下する温度（例えば６０度）まで加熱されたりした場合には変色するように構成されている。したがって、不正行為者が不正に電子タグシール３６を貼着部４６から剥がそうとしたことをベースシート７１の変色により把握することができる。
【００２３】
次に、封止機構（かしめ機構）４５について説明する。
封止機構４５は、図３に示すように、基板ボックス３４のうち遊技盤５の裏側から見て左端部（図３（ａ）中、左端部）に位置する左側封止機構（言い換えると基板ボックス３４の中央部分から係合方向Ｂの先に位置する一側封止機構）４５Ｌと、基板ボックス３４のうち遊技盤５の裏側から見て右端部（図３（ａ）中、右端部）に位置する右側封止機構（言い換えると基板ボックス３４の中央部分から係合解除方向Ｃの先に位置する他側封止機構）４５Ｒとから構成されている。
【００２４】
左側封止機構４５Ｌは、図３（ａ）に示すように、第１ケース部材４１と第２ケース部材４２とを閉状態で固着して封止するための左側主封止機構７７（主封止機構の一種）と、該左側主封止機構７７の破壊後に第１ケース部材４１と第２ケース部材４２とを閉状態で再固着して再封止するための左側副封止機構７８（副封止機構の一種）とを上下に並んだ状態で備え、左側主封止機構７７を基板ボックス３４の下寄りに配置するとともに左側副封止機構７８を基板ボックス３４の上寄りに配置している。
【００２５】
左側主封止機構７７は、図３（ａ）および（ｂ）に示すように、基板ボックス３４の一側（図３（ａ）中、左側）に接続された左側主封止部８０（主封止部の一種）と、ワンウェイねじ等の左側主封止具８１（主封止具の一種）と、左側主封止具８１を被覆する左側主封止カバー８２とを備えている。左側主封止部８０は、第１ケース部材４１に設けられた左側主封止受部８３（主封止受部の一種）と、第２ケース部材４２に設けられた左側主封止体８４（主封止体の一種）とから構成されている。具体的に説明すると、図４および図９に示すように、左側主封止受部８３を中心軸が重合方向Ａまたは離間方向Ｄに沿う円筒状に形成して設け、左側主封止受部８３の側面から左側主封止受ブラケット８３ａを突設して第１ケース部材４１の一側面（図４中、左側面）へ接続している。また、図５および図１０に示すように、左側主封止体８４を左側主封止受部８３よりもひと回り大きく、且つ中心軸が重合方向Ａまたは離間方向Ｄに沿う円筒状に形成して設け、左側主封止体８４には、左側主封止具８１を挿入するための左側主封止挿入口８４ａを離間方向Ｄへ向けて開放し、左側主封止挿入口８４ａを左側主封止カバー８２で閉塞可能としている（図３（ｂ）参照）。さらに、左側主封止体８４の側面から左側主封止ブラケット８４ｂを突設して第２ケース部材４２の一側面（図５中、左側面）へ接続し、第１ケース部材４１と第２ケース部材４２とを重合して閉じると、左側主封止受部８３と左側主封止体８４とが重合方向Ａまたは離間方向Ｄに沿って並んで位置するように構成されている。そして、この状態で左側主封止具８１を左側主封止挿入口８４ａから挿入して締め込むと、左側主封止具８１が左側主封止体８４と左側主封止受部８３とを固着し、且つこの固着状態を解除不能とするように構成されている。
【００２６】
左側副封止機構７８は、図３（ａ）および（ｂ）に示すように、基板ボックス３４の一側（図３（ａ）中、左側）に接続された左側副封止部８７（副封止部の一種）と、ワンウェイねじ等の左側副封止具８８（副封止具の一種）とを備えている。左側副封止部８７は、第１ケース部材４１に設けられた左側副封止受部９０（副封止受部の一種）と、第２ケース部材４２に設けられた左側副封止体９１（副封止体の一種）とから構成されている。具体的に説明すると、図４および図９に示すように、左側副封止受部９０を中心軸が重合方向Ａまたは離間方向Ｄに沿う円筒状に形成して設け、左側副封止受部９０の側面から左側副封止受ブラケット９０ａを突設して第１ケース部材４１の一側面（図４中、左側面）のうち左側主封止受ブラケット８３ａよりも上方の位置に接続し、さらには左側副封止受ブラケット９０ａと左側主封止受ブラケット８３ａとを上下に連結している。また、図５および図１０に示すように、左側副封止体９１を左側副封止受部９０よりもひと回り大きく、且つ中心軸が重合方向Ａまたは離間方向Ｄに沿う円筒状に形成して設け、左側副封止体９１には、左側副封止具８８を挿入するための左側副封止挿入口９１ａを離間方向Ｄへ向けて開放している。さらに、左側副封止体９１の側面から左側副封止ブラケット９１ｂを突設して第２ケース部材４２の一側面（図５中、左側面）のうち左側主封止ブラケット８４ｂよりも上方の位置へ接続している。そして、第１ケース部材４１と第２ケース部材４２とを重合して閉じると、左側副封止受部９０と左側副封止体９１とが重合方向Ａまたは離間方向Ｄに沿って並んで位置するように構成されている。また、この状態で左側副封止具８８を左側副封止挿入口９１ａから挿入して締め込むと、左側副封止具８８が左側副封止体９１と左側副封止受部９０とを固着し、且つこの固着状態を解除不能とするように構成されている。
【００２７】
右側封止機構４５Ｒは、第１ケース部材４１と第２ケース部材４２とを閉状態で固着して封止するための右側主封止機構９７（主封止機構の一種）と、該右側主封止機構９７の破壊後に第１ケース部材４１と第２ケース部材４２とを閉状態で再固着して再封止するための右側副封止機構９８（副封止機構の一種）とを上下に並んだ状態で備え、右側主封止機構９７を基板ボックス３４の上寄りに配置するとともに右側副封止機構９８を基板ボックス３４の下寄りに配置している。
【００２８】
右側主封止機構９７は、図３（ａ）および（ｂ）に示すように、基板ボックス３４の他側（図３（ａ）中、右側）に接続された右側主封止部１００（主封止部の一種）と、ワンウェイねじ等の右側主封止具１０１（主封止具の一種）と、右側主封止具１０１を被覆する右側主封止カバー１０２とを備えている。右側主封止部１００は、第１ケース部材４１に設けられた右側主封止受部１０３（本発明における第１主封止部の一種）と、第２ケース部材４２に設けられた右側主封止体１０４（本発明における第２主封止部の一種）とから構成されている。具体的に説明すると、図４および図１１に示すように、右側主封止受部１０３を中心軸が重合方向Ａまたは離間方向Ｄに沿う円筒状に形成して設け、右側主封止受部１０３の側面から右側主封止受ブラケット１０３ａ（本発明における第１主ブラケットの一種）を突設して第１ケース部材４１の他側面（図４中、右側面）へ接続している。また、図５および図１２に示すように、右側主封止体１０４を右側主封止受部１０３よりもひと回り大きく、且つ中心軸が重合方向Ａまたは離間方向Ｄに沿う円筒状に形成して設け、右側主封止体１０４には、右側主封止具１０１を挿入するための右側主封止挿入口１０４ａを離間方向Ｄへ向けて開放し、右側主封止挿入口１０４ａを右側主封止カバー１０２で閉塞可能としている（図３（ｂ）参照）。そして、右側主封止体１０４のうち右側主封止受部１０３側の端部には円弧状の主係合ストッパー１０４ｂを設け（図１２（ｂ）参照）、右側主封止体１０４が係合方向Ｂに沿って移動すると、主係合ストッパー１０４ｂが右側主封止受部１０３へ係合して、右側主封止体１０４と右側主封止受部１０３とが中心軸を揃えて位置決めできるように構成されている。さらに、右側主封止体１０４の側面から右側主封止ブラケット１０４ｃ（本発明における第２主ブラケットの一種）を突設して第２ケース部材４２の他側面（図５中、右側面）へ接続し、第１ケース部材４１と第２ケース部材４２とを重合して閉じると、右側主封止受部１０３と右側主封止体１０４とが重合方向Ａまたは離間方向Ｄに沿って並んで位置するように構成されている。そして、この状態で右側主封止具１０１を右側主封止挿入口１０４ａから挿入して締め込むと、右側主封止具１０１が右側主封止体１０４と右側主封止受部１０３とを固着し、且つこの固着状態を解除不能とするように構成されている。
【００２９】
右側副封止機構９８は、図３（ａ）および（ｂ）に示すように、基板ボックス３４の他側（図３（ａ）中、右側）に接続された右側副封止部１０７（副封止部の一種）と、ワンウェイねじ等の右側副封止具１０８（副封止具の一種）とを備えている。右側副封止部１０７は、第１ケース部材４１に設けられた右側副封止受部１１０（本発明における第１副封止部の一種）と、第２ケース部材４２に設けられた右側副封止体１１１（本発明における第２副封止部の一種）とから構成されている。具体的に説明すると、図４および図１１に示すように、右側副封止受部１１０を中心軸が重合方向Ａまたは離間方向Ｄに沿う円筒状に形成し、右側副封止受部１１０の側面から右側副封止受ブラケット１１０ａ（本発明における第１副ブラケットの一種）を突設して第１ケース部材４１の他側面（図４中、右側面）のうち右側主封止受ブラケット１０３ａよりも下方の位置に接続し、さらには右側副封止受ブラケット１１０ａと右側主封止受ブラケット１０３ａとを上下に連結している。また、図５および図１２に示すように、右側副封止体１１１を右側副封止受部１１０よりもひと回り大きく、且つ中心軸が重合方向Ａまたは離間方向Ｄに沿う円筒状に形成して設け、右側副封止体１１１には、右側副封止具１０８を挿入するための右側副封止挿入口１１１ａを離間方向Ｄへ向けて開放している。そして、右側副封止体１１１のうち右側副封止受部１１０側の端部には円弧状の副係合ストッパー１１１ｂを設け（図１２（ｂ）参照）、右側副封止体１１１が係合方向Ｂに沿って移動すると、副係合ストッパー１１１ｂが右側副封止受部１１０へ係合して、右側副封止体１１１と右側副封止受部１１０とが中心軸を揃えて位置決めできるように構成されている。さらに、右側副封止体１１１の側面から右側副封止ブラケット１１１ｃ（本発明における第２副ブラケットの一種）を突設して第２ケース部材４２の他側面（図５中、右側面）のうち右側主封止ブラケット１０４ｃよりも下方の位置へ接続している。そして、第１ケース部材４１と第２ケース部材４２とを重合して閉じると、右側副封止受部１１０と右側副封止体１１１とが重合方向Ａまたは離間方向Ｄに沿って並んで位置するように構成されている。また、この状態で右側副封止具１０８を右側副封止挿入口１１１ａから挿入して締め込むと、右側副封止具１０８が右側副封止体１１１と右側副封止受部１１０とを固着し、且つこの固着状態を解除不能とするように構成されている。
【００３０】
そして、封止機構４５は、左側副封止部８７の剛性を左側主封止部８０の剛性よりも強く設定して、左側副封止機構７８を左側主封止機構７７よりも破壊し難い構成とし、さらには、右側副封止部１０７の剛性を右側主封止部１００の剛性よりも強く設定して、右側副封止機構９８を右側主封止機構９７よりも破壊し難い構成にしている。詳しくは、基板ボックス３４の中央部分から見て係合解除方向Ｃの上流側に位置する左側封止機構４５Ｌにおいては、図１０に示すように、左側主封止部８０のうち左側主封止体８４を支持する左側主封止ブラケット８４ｂを、左側主封止体８４側から第１ケース部材４１側へ向かうにつれて上下幅が次第に縮幅する形状とし、左側主封止ブラケット８４ｂの裏面（左側主封止受部８３側に臨ませた面）には支持リブを１つ立設している。一方、左側副封止部８７のうち左側副封止体９１を支持する左側副封止ブラケット９１ｂの上下幅を、左側副封止体９１側から第１ケース部材４１側に亘って均一であり、且つ左側主封止ブラケット８４ｂの上下幅よりも広い寸法に設定している。また、左側主封止ブラケット８４ｂの裏面（左側主封止受部８３側に臨ませた面）には支持リブを３つ立設している。このような構成を備えることにより、左側副封止ブラケット９１ｂの断面積を左側主封止ブラケット８４ｂの断面積よりも広くして、左側副封止ブラケット９１ｂを左側主封止ブラケット８４ｂよりも破断し難い構成とし、左側副封止部８７の剛性を左側主封止部８０の剛性よりも強く設定している。この結果、左側封止機構４５Ｌは、左側副封止機構７８を左側主封止機構７７よりも破壊し難い構成、言い換えると、第１ケース部材４１と第２ケース部材４２とを閉じた状態で封止する機能を失い難く、基板ボックス３４の開放を許容し難い構成に設定している。
【００３１】
また、基板ボックス３４の中央部分から見て係合解除方向Ｃの下流側に位置する右側封止機構４５Ｒにおいては、右側主封止部１００のうち右側主封止受部１０３を支持する右側主封止受ブラケット１０３ａを、上下方向の中間部分に開口が開設された中空形状としている。一方、右側副封止部１０７のうち右側副封止受部１１０を支持する右側副封止受ブラケット１１０ａを開口が開設されていない中実形状としている。このような構成を備えることにより、右側副封止受ブラケット１１０ａの断面積を右側主封止受ブラケット１０３ａの断面積よりも広くして、右側副封止受ブラケット１１０ａを右側主封止受ブラケット１０３ａよりも破断し難い構成とし、右側副封止部１０７の剛性を右側主封止部１００の剛性よりも強く設定している。この結果、右側封止機構４５Ｒは、右側副封止機構９８を右側主封止機構９７よりも破壊し難い構成、言い換えると、第１ケース部材４１と第２ケース部材４２とを閉じた状態で封止する機能を失い難く、基板ボックス３４の開放を許容し難い構成に設定している。
【００３２】
上記構成を備えた遊技制御装置３２を組み立てるには、まず、制御基板３５を第２ケース部材４２の内側へ止着して配線コネクタ３５ｂをコネクタ開口４７に臨ませ、この状態で第２ケース部材４２を制御基板３５と第１ケース部材４１の内側とが対向する姿勢に設定する。第２ケース部材４２の姿勢を設定したならば、図６（ａ）に示すように、第２ケース部材４２を重合方向Ａに沿って移動して第１ケース部材４１へ重合させるとともに、係合片５１を嵌脱部５２へ通す。また、止着受部６４を通過開口６８へ通して移動空間部６９内へ進入させ、第２ケース部材４２の下部を突出部４８の上面へ当接（または載置）する。そして、第２ケース部材４２を係合方向Ｂへスライドして係合片５１を係合溝部５０へ係合させて第１ケース部材４１と第２ケース部材４２とを係合状態（閉じた状態）にする。すると、基板ボックス３４は、止着受部６４を移動空間部６９内で係合方向Ｂへスライドして挿通孔６５に重合する位置（図６（ｂ）中、二点鎖線で示す位置）へ移動し、挿通孔６５と螺合孔６４ａとを連通する。また、第１貼着部５７と第２貼着部５９とを左右両縁部がそれぞれ揃う状態で接続し、左側主封止体８４と左側主封止受部８３、左側副封止体９１と左側副封止受部９０、右側主封止体１０４と右側主封止受部１０３、右側副封止体１１１と右側副封止受部１１０をそれぞれ重合する。
【００３３】
第１ケース部材４１と第２ケース部材４２とを係合して閉じたならば、電子タグシール３６を貼着する前に、止着部材６６を挿通孔６５へ挿通するとともに止着受部６４へ止着（詳しくは螺合孔６４ａへ螺合）して第１ケース部材４１と第２ケース部材４２とを係止する。また、左側主封止体８４と左側主封止受部８３とを左側主封止具８１で固着するとともに、右側主封止体１０４と右側主封止受部１０３とを右側主封止具１０１で固着して、第１ケース部材４１と第２ケース部材４２とを閉じた状態で封止する。さらに、左側主封止挿入口８４ａに左側主封止カバー８２を溶着する等して閉塞して左側主封止体８４内の左側主封止具８１の頭部を被覆する一方、右側主封止挿入口１０４ａに右側主封止カバー１０２を溶着する等して閉塞して右側主封止体１０４内の右側主封止具１０１の頭部を被覆する。なお、左側副封止体９１には左側副封止具８８を左側副封止挿入口９１ａから挿入するが、左側副封止具８８の先端を左側副封止受部９０に到達させずに左側副封止体９１内で留まる状態（仮止め状態）とし、左側副封止体９１と左側副封止受部９０とを固着しない。また、右側副封止体１１１には右側副封止具１０８を右側副封止挿入口１１１ａから挿入するが、右側副封止具１０８の先端を右側副封止受部１１０に到達させずに右側副封止体１１１内で留まる状態（仮止め状態）とし、右側副封止体１１１と右側副封止受部１１０とを固着しない。
【００３４】
そして、電子タグシール３６を当該電子タグシール３６の縁部が貼着部４６の縁部に沿う状態で貼着する。すると、電子タグシール３６は、当該電子タグシール３６の下部を折り曲げて第１貼着部５７の下部へ貼着し、図８（ａ）に示すように、ベースシート７１で挿通孔６５、止着部材６６、通過開口６８を被覆する。また、アンテナ部７４を係合方向Ｂへ向けて上り傾斜した姿勢に設定して、アンテナ部７４の延在方向と係合方向Ｂおよび係合解除方向Ｃとを交差させ、さらには、第１貼着部５７と第２貼着部５９との境界ＢＬにアンテナ部７４のうちチップ部７３の近傍に位置する箇所を交差させる。貼着部４６に電子タグシール３６を貼着したならば、貼着部４６に保護カバー３７を近づけ、カバー取付部３７ｂをカバー取付受部６１へ嵌合するとともに、カバー係合片３７ｃをカバー係合受部６２へ係合し、この状態でカバー取付部３７ｂとカバー取付受部６１とをカバー止着具３７ａで止着して保護カバー３７を装着し、電子タグシール３６を被覆する。貼着部４６に保護カバー３７を装着して遊技制御装置３２を組み立てたならば、遊技制御装置３２を第１ケース部材４１が装着ベース３０に対向する姿勢に設定し、この状態で装着ベース３０へ装着する。このとき、貼着部４６には保護カバー３７を装着しているので、電子タグシール３６が不用意に傷ついたりして識別情報を発信不能となる不都合を未然に防ぐことができる。
【００３５】
また、基板ボックス３４の長手方向の両端部には、左側主封止機構７７と右側主封止機構９７とを第１ケース部材４１と第２ケース部材４２との境界に跨る状態でそれぞれ設け、基板ボックス３４の長手方向の一端と他端との間には電子タグシール３６を第１ケース部材４１と第２ケース部材４２との境界に跨る状態で貼付するので、基板ボックス３４を撓ませると第１ケース部材４１と第２ケース部材４２との間に隙間が形成されてしまう不都合、ひいてはこの隙間から不正部材が侵入して制御基板３５に対する不正行為が実行される不都合を阻止することができる。さらに、左側封止機構４５Ｌにおいては基板ボックス３４の下寄りに位置する箇所を固着し、右側封止機構４５Ｒにおいては基板ボックス３４の上寄りに位置する箇所を固着しているので、基板ボックス３４がねじれ荷重を受けても変形し難い。
【００３６】
このようにして組み立てられた遊技制御装置３２において、電子タグシール３６を剥がさずに基板ボックス３４を不正に開放しようとすると、次にようになる。まず、遊技制御装置３２を装着ベース３０から外し、左側主封止部８０の左側主封止ブラケット８４ｂおよび右側主封止部１００の右側主封止受ブラケット１０３ａを工具（例えばニッパー）で切断して左側主封止機構７７および右側主封止機構９７を破壊し、第２ケース部材４２が左側主封止機構７７から係合解除方向Ｃへ離れること、および右側主封止機構９７が第１ケース部材４１から係合解除方向Ｃへ離れることを許容する。また、保護カバー３７を外し、貼着部４６に貼着された電子タグシール３６のうち止着部材６６を被覆している箇所を切り取る等して止着部材６６の頭部を露出させ、露出した止着部材６６を取り外す。このようにして第２ケース部材４２の係合解除方向Ｃへの移動を許容したならば、第２ケース部材４２を係合解除方向Ｃへ移動し、さらに離間方向Ｄへ移動する。すると、移動空間部６９を移動してきた止着受部６４が電子タグシール３６を突き破って通過開口６８を通り、電子タグシール３６のうち通過開口６８を被覆していた箇所が汚く破れる。このように、第１ケース部材４１と第２ケース部材４２とを分離するには、電子タグシール３６の一部を破って止着部材６６を取り外し、さらには、止着受部６４が電子タグシール３６のうち止着部材６６を露出させる箇所とは異なる箇所を汚く破って通過開口６８を通過することになる。したがって、電子タグシール３６に破れが生じているか否かを目視により確認すれば、不正行為者が第１ケース部材４１と第２ケース部材４２とを分離した、若しくは、第１ケース部材４１と第２ケース部材４２との分離を試みたことを簡単に把握することができる。
【００３７】
また、止着部材６６を外し、左側主封止機構７７および右側主封止機構９７を破壊した状態で第２ケース部材４２を係合解除方向Ｃへスライドすることで、遊技制御装置３２は、電子タグシール３６を境界ＢＬに沿って破断し、チップ部７３よりも第１貼着部５７側に位置するアンテナ部７４を切断して電子タグ７２を破壊する。したがって、電子タグシール３６の発信機能（詳しくは識別情報を発信する機能）を無効化することが可能となる。また、識別情報が発信されないことに基づいて、基板ボックス３４が不正に開放されたことを把握することができる。さらに、不正行為が行われた後で電子タグシール３６の発信機能が再利用される不都合を阻止することができる。
【００３８】
そして、遊技制御装置３２に対して不正行為が行われた可能性がある場合には、所轄の警察もしくは遊技場側の正規な作業（不正行為を伴わない作業）により、止着部材６６を外すとともに左側主封止機構７７および右側主封止機構９７を破壊して基板ボックス３４を開放し、目視等により制御基板３５に不正部品が搭載されていないか否か等のチェックが行われる。このチェックの結果、遊技制御装置３２に異常が認められなかった場合には、交換用の新たな遊技制御装置３２が準備できるまで（例えば、メーカーから遊技場に到着するまで）の間に限り、チェック済みの遊技制御装置３２を電子タグシール３６が破れた状態で再び組み立てて仮使用する。
【００３９】
遊技制御装置３２の再組立について説明すると、まず、制御基板３５を第２ケース部材４２から外している場合には、制御基板３５を第２ケース部材４２の内側へ止着して配線コネクタ３５ｂをコネクタ開口４７に臨ませ、この状態で第２ケース部材４２を制御基板３５と第１ケース部材４１の内側とが対向する姿勢に設定する。第２ケース部材４２の姿勢を設定したならば、図６（ａ）に示すように、第２ケース部材４２を重合方向Ａに沿って移動して第１ケース部材４１へ重合させるとともに、係合片５１を嵌脱部５２へ通す。また、止着受部６４を通過開口６８へ通して移動空間部６９内へ進入させ、第２ケース部材４２の下部を突出部４８の上面へ当接する。そして、第２ケース部材４２を係合方向Ｂへスライドして係合片５１を係合溝部５０へ係合させて第１ケース部材４１と第２ケース部材４２とを係合状態（閉じた状態）にする。すると、基板ボックス３４は、止着受部６４を移動空間部６９内で係合方向Ｂへスライドして挿通孔６５に重合する位置（図６（ｂ）中、二点鎖線で示す位置）へ移動し、挿通孔６５と螺合孔６４ａとを連通する。さらに、左側副封止体９１と左側副封止受部９０、右側副封止体１１１と右側副封止受部１１０をそれぞれ重合し、左側主封止体８４と左側主封止受部８３とが固着された状態の左側主封止機構７７を第２ケース部材４２の側部へ接近させ、右側主封止体１０４と右側主封止受部１０３とが固着された状態の右側主封止機構９７を第１ケース部材４１の側部へ接近させる。
【００４０】
第１ケース部材４１と第２ケース部材４２とを係合して閉じたならば、止着部材６６を挿通孔６５へ挿通するとともに止着受部６４へ止着（詳しくは螺合孔６４ａへ螺合）して第１ケース部材４１と第２ケース部材４２とを係止する。また、予め左側副封止体９１に仮止めされていた左側副封止具８８を十分に締め込んで左側副封止体９１と左側副封止受部９０とを固着するとともに、予め右側副封止体１１１に仮止めされていた右側副封止具１０８を十分に締め込んで右側副封止体１１１と右側副封止受部１１０とを固着して、第１ケース部材４１と第２ケース部材４２とを閉じた状態で再封止する。このようにして、左側主封止機構７７および右側主封止機構９７の破壊後から新品交換までの間に基板ボックス３４および制御基板３５を仮使用（例えば、基板ボックス３４および制御基板３５に異常がないことを確認した上で一時的に使用）する場合であっても、左側副封止機構７８および右側副封止機構９８を用いて基板ボックス３４を封止することができる。また、左側封止機構４５Ｌにおいては基板ボックス３４の上寄りに位置する箇所を固着し、右側封止機構４５Ｒにおいては基板ボックス３４の下寄りに位置する箇所を固着しているので、基板ボックス３４がねじれ荷重を受けても変形し難い。そして、左側副封止機構７８と右側副封止機構９８とにより、第１ケース部材４１と第２ケース部材４２とを閉じた状態で再固着して再封止したならば、遊技制御装置３２を第１ケース部材４１が装着ベース３０に対向する姿勢に設定し、この状態で装着ベース３０へ装着する。
【００４１】
また、仮使用される遊技制御装置３２は、仮使用終了後においては、再封止された基板ボックス３４を開放せずに（制御基板３５の再チェックを行わずに）交換用の新たな遊技制御装置３２に交換される。ここで、左側副封止機構７８を左側主封止機構７７よりも破壊し難い構成にするとともに、右側副封止機構９８を右側主封止機構９７よりも破壊し難い構成にしているので、遊技盤５（パチンコ遊技機１）から外されて交換される予定の基板ボックス３４、言い換えると、仮使用終了後に開封不要な基板ボックス３４において、左側副封止機構７８および右側副封止機構９８を無駄に破壊し易くしておかずに済み、制御基板３５に対するセキュリティが不必要に弱くなる不都合を抑制することができる。さらに、左側副封止部８７の剛性を左側主封止部８０の剛性よりも強く設定して左側副封止機構７８を左側主封止機構７７よりも破壊し難い構成に設定するとともに、右側副封止部１０７の剛性を右側主封止部１００の剛性よりも強く設定して右側副封止機構９８を右側主封止機構９７よりも破壊し難い構成に設定したので、左側副封止機構７８および右側副封止機構９８を無駄に破壊し易くしておかずに済む構成を、簡単に実現することができる。
【００４２】
ところで、上記実施形態では、封止機構４５は第１ケース部材４１と第２ケース部材４２とを閉じた状態で封止する機能だけを有していたが、本発明はこれに限定されない。例えば、図１３に示す第２実施形態における遊技制御装置３２および装着ベース３０では、基本的には第１実施形態における構成と同じであるが、左側主封止機構７７に装着ベース３０の一部を係合できるように構成した点で異なる。具体的に説明すると、第２実施形態における基板ボックス３４の左側主封止機構７７は、第１ケース部材４１と第２ケース部材４２とを閉じた状態において左側主封止体８４と左側主封止受部８３とを離間して、左側主封止体８４と左側主封止受部８３との間に係合空間部１１５を形成している。また、装着ベース３０のうち左側封止機構４５Ｌ側に位置する側部には、装着突部１１７を遊技盤５の後方へ向けて突設し、該装着突部１１７よりも遊技制御装置３２側（図１３（ａ）中、右側）には、第１ケース部材４１のうち左側封止機構４５Ｌ側に位置する角部へ係合可能な位置決め当接部１１８を突設し、該位置決め当接部１１８に第１ケース部材４１を係合して装着ベース３０上に遊技制御装置３２を位置決めできるように構成されている。そして、装着突部１１７には、係合空間部１１５へ係合可能な舌片状の装着係合部１１９を左側封止機構４５Ｌ側（遊技制御装置３２側）へ向けて延設（言い換えると係合方向Ｂに沿って延設）し、装着係合部１１９には左側主封止具８１が挿通可能な係合挿通孔１１９ａを開設している。
【００４３】
このような構成の係合空間部１１５および装着係合部１１９を備えて、遊技制御装置３２を装着ベース３０へ装着するには、まず、遊技制御装置３２を第１実施形態における組立手順と基本的には同じ手順で組み立てるが、左側主封止具８１により左側主封止体８４と左側主封止受部８３とを固着する作業を行わない。遊技制御装置３２を左側主封止体８４と左側主封止受部８３とが固着されない状態で組み立てたならば、遊技制御装置３２を第１ケース部材４１が装着ベース３０に対向する姿勢に設定し、この状態で装着ベース３０に第１ケース部材４１を当接し、装着係合部１１９と係合空間部１１５とが係合方向Ｂ（言い換えると装着係合部１１９の延在方向）に沿って並ぶ状態にする（図１３（ａ）参照）。さらに、遊技制御装置３２を係合方向Ｂに沿ってスライドし、第１ケース部材４１を位置決め当接部１１８へ当接して遊技制御装置３２を位置決めするとともに、装着係合部１１９を係合空間部１１５内へ係合（挿入）し、ビスなどの止着具（図示せず）で遊技制御装置３２と装着ベース３０とを止着する。そして、装着係合部１１９を係合空間部１１５内へ係合した状態で、左側主封止挿入口８４ａに左側主封止具８１を挿入し、左側主封止体８４と左側主封止受部８３とを左側主封止具８１で固着し、左側主封止挿入口８４ａに左側主封止カバー８２を溶着する等して閉塞して左側主封止体８４内の左側主封止具８１の頭部を被覆する。すると、左側主封止具８１が係合空間部１１５内の装着係合部１１９の係合挿通孔１１９ａに挿通し、装着係合部１１９が左側主封止部８０（左側主封止体８４および左側主封止受部８３）へ固着される。したがって、装着ベース３０から基板ボックス３４を取り外し難くすることができ、基板ボックス３４の不正開放、ひいては制御基板３５に対する不正行為を抑制することができる。なお、不正チェック作業を行う等のために、正規な作業（不正行為を伴わない作業）において遊技制御装置３２を装着ベース３０から取り外すには、装着係合部１１９を装着突部１１７側の根元から工具（例えばニッパー）で切断し、この後で止着具を外して遊技制御装置３２を装着ベース３０から離間すればよい。
【００４４】
ところで、上記実施形態においては、遊技制御装置３２の仮使用終了後に破壊する必要がない左側副封止機構７８および右側副封止機構９８を基板ボックス３４の側部から突出する状態で設けたが、本発明はこれに限定されない。要は、左側副封止機構７８を左側主封止機構７７よりも破壊し難い構成とし、右側副封止機構９８を右側主封止機構９７よりも破壊し難い構成とすれば、どのような構造であってもよい。例えば、図１４および図１５に示す第３実施形態においては、左側副封止機構７８および右側副封止機構９８を基板ボックス３４の左右両端部よりも内側（基板ボックス３４の中央寄り）に設けている。
【００４５】
詳しく説明すると、左側副封止機構７８は、図１４（ａ）および（ｂ）に示すように、第１ケース部材４１のうち左側主封止機構７７が突設されている端部よりも第１ケース部材４１の長手方向の中央寄りの位置、且つ左側主封止機構７７よりも上方の位置に左側副封止受部９０を配置し、この左側副封止受部９０を第１ケース部材４１から第２ケース部材４２側へ向けて突出した状態とし、左側副封止受部９０の突出基部側の全周を第１ケース部材４１へ接続して支持している。また、図１４（ｃ）および（ｄ）に示すように、第２ケース部材４２のうち左側主封止機構７７が突設されている端部よりも第２ケース部材４２の長手方向の中央寄りの位置、且つ左側主封止機構７７よりも上方の位置に左側副封止体９１を配置し、この左側副封止体９１を第２ケース部材４２から第１ケース部材４１側へ向けて突出した状態とし、左側副封止体９１の突出基部側の全周を第２ケース部材４２へ接続して支持している。
【００４６】
さらに、右側副封止機構９８は、図１５（ａ）および（ｂ）に示すように、第１ケース部材４１のうち右側主封止機構９７が突設されている端部よりも第１ケース部材４１の長手方向の中央寄りの位置、且つ右側主封止機構９７よりも下方の位置に右側副封止受部１１０を配置し、この右側副封止受部１１０を第１ケース部材４１から第２ケース部材４２側へ向けて突出した状態とし、右側副封止受部１１０の突出基部側の全周を第１ケース部材４１へ接続して支持している。また、図１５（ｃ）および（ｄ）に示すように、第２ケース部材４２のうち右側主封止機構９７が突設されている端部よりも第２ケース部材４２の長手方向の中央寄りの位置、且つ右側主封止機構９７よりも下方の位置に右側副封止体１１１を配置し、この右側副封止体１１１を第２ケース部材４２から第１ケース部材４１側へ向けて突出した状態とし、右側副封止体１１１の突出基部側の全周を第２ケース部材４２へ接続して支持している。
【００４７】
このような構成の左側副封止機構７８および右側副封止機構９８を設ければ、基板ボックス３４と左側副封止機構７８との境界、および基板ボックス３４と右側副封止機構９８との境界に工具を差し込み難くなる。一方、左側主封止機構７７および右側主封止機構９７は、基板ボックス３４の端部から側方へ突出しているので、基板ボックス３４との間に工具を差し込み易い。したがって、左側副封止機構７８を左側主封止機構７７よりも破壊し難い構成、および右側副封止機構９８を右側主封止機構９７よりも破壊し難い構成を実現することができる。
【００４８】
ところで、上記実施形態では、左側主封止ブラケット８４ｂを破断して左側主封止機構７７を破壊し、右側主封止受ブラケット１０３ａを破断して右側主封止機構９７を破壊するように構成したが、本発明はこれに限定されない。要は、第１ケース部材４１と第２ケース部材４２とを閉じた状態で封止する機能を失い、基板ボックス３４の開放を許容する状態にすることができれば、左側主封止機構７７および右側主封止機構９７をどのように破壊してもよい。
【００４９】
また、上記実施形態では、第１ケース部材４１の第１貼着部５７に挿通孔６５および通過開口６８を開設し、第２ケース部材４２に止着受部６４を設けたが、本発明はこれに限定されない。例えば、第１ケース部材４１を止着受側ケース部材とし、第２ケース部材４２を挿通側ケース部材とし、第２貼着部５９を挿通側貼着部とし、第１ケース部材４１に止着受部を設け、第２ケース部材４２の第２貼着部５９に挿通孔および通過開口を開設してもよい。さらに、上記実施形態では、止着部材６６を挿通孔６５へ挿通するとともに止着受部６４へ螺合して、第１ケース部材４１と第２ケース部材４２とを係止したが、本発明はこれに限定されない。要は、貼着部４６に第１ケース部材４１と第２ケース部材４２とを係止する係止機構を設け、この係止機構を電子タグシール３６で被覆できれば、どのような構成の係止機構であってもよい。例えば、止着部材をねじが切られていない止着ピンとし、止着受部には、止着ピンの先端を嵌合可能な止着孔を開設し、止着ピンを挿通孔および止着受部へ嵌合して、第１ケース部材４１と第２ケース部材４２とを係止してもよい。
【００５０】
さらに、上記実施形態では、左側主封止機構７７と左側副封止機構７８とを互いに隣り合う状態で配置し、右側主封止機構９７と右側副封止機構９８とを互いに隣り合う状態で配置したが、本発明はこれに限定されない。例えば、左側主封止機構７７と左側副封止機構７８とを十分に離れた状態（例えば、左側主封止体８４の直径よりも広い間隔で離れた状態）で配置したり、右側主封止機構９７と右側副封止機構９８とを十分に離れた状態（例えば、右側主封止体１０４の直径よりも広い間隔で離れた状態）で配置したりしてもよい。
【００５１】
また、上記実施形態では、代表的な遊技機であるパチンコ遊技機を例にして説明したが、本発明はこれに限らず、第１ケース部材と第２ケース部材とから構成され、両ケース部材を閉じた状態で内部に制御基板を収納するための基板ボックスと、予め記憶された固有の識別情報を発信可能な電子タグを有する電子タグシールと、を備え、第１ケース部材と第２ケース部材とに跨って電子タグシールを貼着する遊技機であればどのような遊技機でもよい。例えば、封入球式パチンコ機、アレンジボール式遊技機、雀球式遊技機等の遊技機であってもよい。
【００５２】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００５３】
ところで、制御装置に対して不正行為が行われた可能性がある場合には、所轄の警察もしくは遊技場側の正規な作業により封止機構を破壊して基板ボックスを開放し、目視等により制御基板に不正部品が搭載されていないか否か等のチェックが行われることがある。このとき、基板ボックスの開放作業に伴って封印シールが破断されるとともにＩＣタグが破壊され、制御装置に対するセキュリティが弱くなってしまう。このため、チェックの結果（不正行為の有無）に拘らず、メーカーに制御装置の交換を依頼して新たな制御装置に付け替えることになっている。しかしながら、新たな制御装置がメーカーから届くまでの期間は制御装置の交換対象となった遊技機の稼動が停止されてしまい遊技場側が不利益を被ってしまう。そこで、制御装置に異常が認められなかった場合には、破壊された封止機構とは別の封止機構によって基板ボックスを再封止し、新たな制御装置が届くまでの期間に限り、当該制御装置の仮使用を認めるといった運用方法が採用されている。
【００５４】
そして、仮使用終了後においては、再封止された基板ボックスを開放せずに（制御基板の再チェックを行わずに）制御装置を交換する。したがって、仮使用期間中に基板ボックスを封止する封止機構を、仮使用期間前に基板ボックスを封止していた封止機構よりも破壊し難い構成とした方が好適であり、仮使用期間中における制御装置のセキュリティ強化をも実現することができる。しかしながら、上記特許文献に記載された従来の基板ボックスでは、複数の封止機構を同じ構成としているため、上記運用方法に適していないし、仮使用期間中における制御装置（制御基板）に対するセキュリティが弱くなってしまうという問題がある。
【００５５】
そこで、上記の事情に鑑みて、仮使用終了後に開放不要な基板ボックスにおいて、封止機構を無駄に破壊し易くしておかずに済み、制御基板に対するセキュリティが不必要に弱くなる不都合を抑制することができ、制御基板の仮使用を認めるという運用方法に適合させることができる遊技機を提供するべく、上記の実施形態から次の発明群が挙げられる。
【００５６】
すなわち、第１発明は、第１ケース部材と第２ケース部材とから構成され、両ケース部材を閉じた状態で内部に制御基板を収納するための基板ボックスと、予め記憶された固有の識別情報を発信可能な電子タグを有する電子タグシールと、を備え、
前記第１ケース部材と前記第２ケース部材とに跨って前記電子タグシールを貼着する遊技機において、
前記電子タグシールは、前記第１ケース部材と前記第２ケース部材との境界に前記電子タグを交差させた状態で貼着され、前記第１ケース部材と前記第２ケース部材とを分離して開放すると前記電子タグを破壊可能とし、
前記基板ボックスは、前記第１ケース部材と前記第２ケース部材とを閉じた状態で封止する封止機構を備え、該封止機構を破壊しない限り当該基板ボックスの封止を解除不能とし、
前記封止機構は、
前記第１ケース部材と前記第２ケース部材とを閉じた状態で固着して封止するための主封止機構と、
該主封止機構の破壊後に前記第１ケース部材と前記第２ケース部材とを閉じた状態で再固着して再封止するための副封止機構と、を備え、
前記副封止機構を前記主封止機構よりも破壊し難い構成にしたことを特徴とする遊技機である。
【００５７】
第１発明によれば、電子タグシールは、第１ケース部材と第２ケース部材との境界に電子タグを交差させた状態で貼着され、第１ケース部材と第２ケース部材とを分離して開放すると電子タグを破壊可能とし、基板ボックスは、第１ケース部材と第２ケース部材とを閉じた状態で封止する封止機構を備え、該封止機構を破壊しない限り当該基板ボックスの封止を解除不能とし、封止機構は、第１ケース部材と第２ケース部材とを閉じた状態で固着して封止するための主封止機構と、該主封止機構の破壊後に第１ケース部材と第２ケース部材とを閉じた状態で再固着して再封止するための副封止機構と、を備え、副封止機構を主封止機構よりも破壊し難い構成にしたので、主封止機構の破壊後から新品交換までの間に基板ボックスおよび制御基板を仮使用（例えば、基板ボックスおよび制御基板に異常がないことを確認した上で一時的に使用）する場合であっても、副封止機構を用いて基板ボックスを封止することができる。また、遊技機から外されて交換される予定の基板ボックス、言い換えると、仮使用終了後に開封不要な基板ボックスにおいて、副封止機構を無駄に破壊し易くしておかずに済み、制御基板に対するセキュリティが不必要に弱くなる不都合を抑制することができる。
【００５８】
また、第２発明は、前記主封止機構には主封止部と主封止具とを備え、
前記主封止部は、前記第１ケース部材に設けられた主封止受部と、前記第２ケース部材に設けられた主封止体とから構成され、
前記主封止具は、前記主封止体と前記主封止受部とを固着可能、且つ固着状態を解除不能とし、
前記副封止機構には副封止部と副封止具とを備え、
前記副封止部は、前記第１ケース部材に設けられた副封止受部と、前記第２ケース部材に設けられた副封止体とから構成され、
前記副封止具は、前記副封止体と前記副封止受部とを固着可能、且つ固着状態を解除不能とし、
前記副封止部の剛性を前記主封止部の剛性よりも強く設定して、前記副封止機構を前記主封止機構よりも破壊し難い構成に設定したことを特徴とする第１発明に記載の遊技機である。
【００５９】
第２発明によれば、主封止機構には主封止部と主封止具とを備え、主封止部は、第１ケース部材に設けられた主封止受部と、第２ケース部材に設けられた主封止体とから構成され、主封止具は、主封止体と主封止受部とを固着可能、且つ固着状態を解除不能とし、副封止機構には副封止部と副封止具とを備え、副封止部は、第１ケース部材に設けられた副封止受部と、第２ケース部材に設けられた副封止体とから構成され、副封止具は、副封止体と副封止受部とを固着可能、且つ固着状態を解除不能とし、副封止部の剛性を主封止部の剛性よりも強く設定して、副封止機構を主封止機構よりも破壊し難い構成に設定したので、副封止機構を無駄に破壊し易くしておかずに済む構成を、簡単に実現することができる。
【００６０】
また、第３発明は、前記基板ボックスが装着される装着ベースを備え、
前記主封止機構は、前記第１ケース部材と前記第２ケース部材とを閉じた状態において前記主封止体と前記主封止受部との間に係合空間部を形成し、
前記装着ベースは、前記係合空間部に係合可能な装着係合部を備え、
前記装着係合部を前記係合空間部へ係合した状態で前記主封止体と前記主封止受部とを前記主封止具で固着すると、前記装着係合部が前記主封止部へ固着されるように構成されたことを特徴とする第１発明または第２発名に記載の遊技機である。
【００６１】
第３発明によれば、基板ボックスが装着される装着ベースを備え、主封止機構は、第１ケース部材と第２ケース部材とを閉じた状態において主封止体と主封止受部との間に係合空間部を形成し、装着ベースは、係合空間部に係合可能な装着係合部を備え、装着係合部を係合空間部へ係合した状態で主封止体と主封止受部とを主封止具で固着すると、装着係合部が主封止部へ固着されるように構成したので、装着ベースから基板ボックスを取り外し難くすることができ、基板ボックスの不正開放、ひいては制御基板に対する不正行為を抑制することができる。
【００６２】
また、第４発明は、前記基板ボックスの長手方向の両端部には、前記封止機構を前記第１ケース部材と前記第２ケース部材との境界に跨る状態でそれぞれ設け、
前記基板ボックスの長手方向の一端と他端との間には、前記電子タグシールを前記第１ケース部材と前記第２ケース部材との境界に跨る状態で貼付したことを特徴とする第１発明から第３発明のいずれかに記載の遊技機である。
【００６３】
第４発明によれば、基板ボックスの長手方向の両端部には、封止機構を第１ケース部材と第２ケース部材との境界に跨る状態でそれぞれ設け、基板ボックスの長手方向の一端と他端との間には、電子タグシールを第１ケース部材と第２ケース部材との境界に跨る状態で貼付したので、基板ボックスを撓ませると第１ケース部材と第２ケース部材との間に隙間が形成されてしまう不都合、ひいてはこの隙間から不正部材が侵入して制御基板に対する不正行為が実行される不都合を阻止することができる。
【００６４】
また、第５発明は、前記基板ボックスには、前記電子タグシールを貼着するための貼着部を、前記第１ケース部材に形成される箇所と前記第２ケース部材に形成される箇所とに分割される状態で備え、
前記第１ケース部材または前記第２ケース部材のいずれか一方を止着受側ケース部材とし、他方を挿通側ケース部材とし、
前記貼着部のうち前記挿通側ケース部材に形成される箇所を挿通側貼着部とし、
前記止着受側ケース部材には止着部材が止着可能な止着受部を設け、
前記挿通側貼着部には、前記止着受部に止着された状態の前記止着部材を挿通可能な挿通孔を開設し、
前記電子タグシールの貼着前に前記止着部材を挿通孔へ挿通するとともに前記止着受部へ止着することで、前記第１ケース部材と前記第２ケース部材とを係止可能としたことを特徴とする第１発明から第４発明のいずれかに記載の遊技機である。
【００６５】
第５発明によれば、基板ボックスには、電子タグシールを貼着するための貼着部を、第１ケース部材に形成される箇所と第２ケース部材に形成される箇所とに分割される状態で備え、第１ケース部材または第２ケース部材のいずれか一方を止着受側ケース部材とし、他方を挿通側ケース部材とし、貼着部のうち挿通側ケース部材に形成される箇所を挿通側貼着部とし、止着受側ケース部材には止着部材が止着可能な止着受部を設け、挿通側貼着部には、止着受部に止着された状態の止着部材を挿通可能な挿通孔を開設し、電子タグシールの貼着前に止着部材を挿通孔へ挿通するとともに止着受部へ止着することで、第１ケース部材と第２ケース部材とを係止可能としたので、第１ケース部材と第２ケース部材とを分離するには、電子タグシールの一部を破って止着部材を取り外すことになる。したがって、電子タグシールに破れが生じているか否かを目視により確認すれば、不正行為者が第１ケース部材と第２ケース部材とを分離した、若しくは、第１ケース部材と第２ケース部材との分離を試みたことを簡単に把握することができる。
【００６６】
さらに、第６発明は、前記挿通側貼着部には、前記第１ケース部材と前記第２ケース部材とを開閉する時に前記止着受部が通過可能な通過開口を開設したことを特徴とする第５発明に記載の遊技機である。
【００６７】
第６発明によれば、挿通側貼着部には、第１ケース部材と第２ケース部材とを開閉する時に止着受部が通過可能な通過開口を開設したので、第１ケース部材と第２ケース部材とを分離するには、止着受部が電子タグシールの一部を破って通過開口を通過することになる。したがって、電子タグシールに破れが生じているか否かを確認し易くなり、不正行為者が第１ケース部材と第２ケース部材とを分離した、若しくは、第１ケース部材と第２ケース部材との分離を試みたことを一層簡単に把握することができる。
【００６８】
そして、第７発明は、前記電子タグシールを保護するための保護カバーを備えたことを特徴とする第１発明から第６発明のいずれかに記載の遊技機である。
【００６９】
第７発明によれば、電子タグシールを保護するための保護カバーを備えたので、電子タグシールが不用意に傷ついたりして識別情報を発信不能となる不都合を未然に防ぐことができる。
【符号の説明】
【００７０】
１  パチンコ遊技機
５  遊技盤
３０  装着ベース
３２  遊技制御装置
３４  基板ボックス
３５  制御基板
３６  電子タグシール
３７  保護カバー
４１  第１ケース部材
４２  第２ケース部材
４５  封止機構
４５Ｌ  左側封止機構
４５Ｒ  右側封止機構
４６  貼着部
５７  第１貼着部
５９  第２貼着部
６４  止着受部
６５  挿通孔
６６  止着部材
６８  通過開口
７１  ベースシート
７２  電子タグ
７７  左側主封止機構
７８  左側副封止機構
８０  左側主封止部
８１  左側主封止具
８３  左側主封止受部
８３ａ  左側主封止受ブラケット
８４  左側主封止体
８４ｂ  左側主封止ブラケット
８７  左側副封止部
８８  左側副封止具
９０  左側副封止受部
９０ａ  左側副封止受ブラケット
９１  左側副封止体
９１ｂ  左側副封止ブラケット
９７  右側主封止機構
９８  右側副封止機構
１００  右側主封止部
１０１  右側主封止具
１０３  右側主封止受部
１０３ａ  右側主封止受ブラケット
１０４  右側主封止体
１０４ｃ  右側主封止ブラケット
１０７  右側副封止部
１０８  右側副封止具
１１０  右側副封止受部
１１０ａ  右側副封止受ブラケット
１１１  右側副封止体
１１１ｃ  右側副封止ブラケット
１１５  係合空間部
１１９  装着係合部
【図１】
0005450744.tif 000002
【図２】
0005450744.tif 000003
【図３】
0005450744.tif 000004
【図４】
0005450744.tif 000005
【図５】
0005450744.tif 000006
【図６】
0005450744.tif 000007
【図７】
0005450744.tif 000008
【図８】
0005450744.tif 000009
【図９】
0005450744.tif 000010
【図１０】
0005450744.tif 000011
【図１１】
0005450744.tif 000012
【図１２】
0005450744.tif 000013
【図１３】
0005450744.tif 000014
【図１４】
0005450744.tif 000015
【図１５】
0005450744.tif 000016